(57)【要約】      （修正有）【課題】無線基地局装置のサービスエリアに入った場合に各種のサービスを提供するシステムにおいて、訪れた回数によって、その回数に応じた特典を得ることが可能とする。【解決手段】無線端末装置１０が無線基地局装置１１に位置登録を行う際に、無線基地局装置１１に認証ＩＤを通知し、無線基地局装置１１は通知された認証ＩＤが無線基地局装置１１固有の認証ＩＤかをチェックする。通知された認証ＩＤの正当性が認められた場合に、無線基地局装置内に設けられた記憶部の無線端末装置１０の位置登録回数を更新し、その位置登録回数に応じて、専用コンテンツサーバ１４へのアクセスを制御する。これにより、ユーザは同一場所を訪れた回数によって、その回数に応じた特典を得ることが可能となる。【選択図】図２
2010218027.tif 000002
【特許請求の範囲】
【請求項１】
無線端末装置と、前記無線端末装置からの電波を送受信する無線基地局装置と、前記無線基地局装置を介して前記無線端末装置に情報を提供する専用コンテンツサーバとからなり、
前記無線基地局装置は、前記無線端末装置毎の位置登録回数を保持する手段と、
前記無線端末装置の位置登録があると、前記位置登録回数を更新する手段と、
前記保持している無線基地局装置の位置登録回数と、所定の位置登録回数の閾値を比較する手段と、
前記位置登録回数が前記閾値以上になると、前記無線端末装置の前記専用コンテンツサーバへのアクセスを可能とする手段と
を備えるようにしたことを特徴とする無線通信システム。
【請求項２】
前記無線基地局装置は、さらに、前記無線基地局装置を示す固有の認証ＩＤを設定する手段と、
前記認証ＩＤを前記無線端末装置に通知する手段と、
前記無線端末装置から認証ＩＤが通知されてきたかどうかをチェックし、前記無線端末装置から認証ＩＤが通知されてきたら、前記通知された認証ＩＤの正当性をチェックする手段と
を備えることを特徴とする請求項１に記載の無線通信システム。
【請求項３】
前記無線端末装置は、さらに、前記無線基地局装置からの固有の認証ＩＤを受信する手段と、
前記無線基地局装置からの送られてきた認証ＩＤを保持する手段と、
前記保持している認証ＩＤを前記無線基地局装置に通知する手段と
を備えることを特徴とする請求項２に記載の無線通信システム。
【請求項４】
無線端末装置と、前記無線端末装置からの電波を送受信する無線基地局装置と、前記無線基地局装置を介して前記無線端末装置に情報を提供する専用コンテンツサーバとからなる無線システムのサーバアクセス方法において、
前記無線基地局装置が、前記無線端末装置毎の位置登録回数を保持する工程と、
前記無線端末装置の位置登録があると、前記位置登録回数を更新する工程と、
前記保持している位置登録回数と、位置登録回数の閾値を比較する工程と、
前記位置登録回数が前記閾値以上になると、前記無線端末装置の前記専用コンテンツサーバへのアクセスを可能とするように制御する工程と
を含むようにしたことを特徴とするサーバアクセス方法。
【請求項５】
さらに、前記無線基地局装置が、当該無線基地局装置の固有の認証ＩＤを送信する工程と、
前記無線端末装置が、前記無線基地局装置からの固有の認証ＩＤを受信する工程と、
前記無線端末装置が、前記無線基地局装置からの送られてきた認証ＩＤを保持し、前記保持している認証ＩＤを前記無線基地局装置に通知する工程と、
前記無線基地局装置が、前記無線端末装置から認証ＩＤが通知されてきたかどうかをチェックし、前記無線端末装置から認証ＩＤが通知されてきたら、前記通知された認証ＩＤの正当性をチェックする工程と
を含むことを特徴とする請求項４に記載のサーバアクセス方法。
【請求項６】
無線端末装置に電波を送信する送信手段及び前記無線端末装置からの電波を受信する受信手段と、
無線端末装置の位置登録回数を保持する記憶手段と、
前記無線端末装置の位置登録があると、前記記憶手段に保持している無線端末装置からの位置登録回数を更新する位置登録回数更新手段と、
前記保持している無線基地局装置からの位置登録回数と、位置登録回数の閾値を比較する位置登録回数判定手段と、
前記位置登録回数が前記閾値以上になると、前記無線端末装置の専用コンテンツサーバへのアクセスを可能とするように制御する手段と
を備えたことを特徴とする無線基地局装置。
【請求項７】
さらに、前記無線基地局装置を示す固有の認証ＩＤを設定する認証ＩＤ設定手段と、
前記無線端末装置から認証ＩＤが通知されてきたかどうかをチェックし、前記無線端末装置から認証ＩＤが通知されてきたら、前記通知された認証ＩＤの正当性をチェックする認証ＩＤ判定手段
を備えることを特徴とする請求項６に記載の無線基地局装置。
【請求項８】
無線基地局装置に電波を送信する送信手段及び前記無線基地局装置からの電波を受信する受信手段と、
前記無線基地局装置からの固有の認証ＩＤを受信して保持する記憶手段と、
前記保持している認証ＩＤを設定して前記無線基地局装置に通知する認証ＩＤ設定手段と
を備えることを特徴とする無線端末装置。
【請求項９】
無線端末装置の位置登録回数を保持するステップと、
前記無線端末装置の位置登録があると、記憶手段に保持している無線端末装置からの位置登録回数を更新するステップと、
前記保持している位置登録回数と、位置登録回数の閾値を比較するステップと、
前記位置登録回数が前記閾値以上になると、前記無線端末装置の前記専用コンテンツサーバへのアクセスを可能とするステップとを含む
ことを特徴とする無線基地局装置のコンピュータ処理で実現可能なプログラム。
【請求項１０】
さらに、前記無線基地局装置を示す固有の認証ＩＤを設定して通知するステップと、
前記無線端末装置から認証ＩＤが通知されてきたかどうかをチェックするステップと、
前記無線端末装置から認証ＩＤが通知されてきたら、前記通知された認証ＩＤの正当性をチェックするステップと
を含むことを特徴とする請求項９に記載のプログラム。
【請求項１１】
前記無線基地局装置からの固有の認証ＩＤを受信して保持するステップと、
前記保持している認証ＩＤを前記無線基地局装置に通知するステップと
ことを特徴とする無線端末装置のコンピュータ処理で実現可能なプログラム。
【発明の詳細な説明】
【技術分野】
【０００１】
本発明は、無線端末装置で専用サーバをアクセスしてサービスの提供を可能とする無線通信システム、サーバアクセス方法、並びに、このようなシステムの無線基地局装置及び無線端末装置に関する。
【背景技術】
【０００２】
特許文献１には、微小なサービスエリアを有するフェムトセル基地局を設け、また、このフェムトセル基地局に対して専用サーバを設け、端末の利用者がフェムトセルの範囲内に移動すると、サービスを受けられるような無線通信システムが開示されている。また、特許文献２及び特許文献３には、無線基地局装置と専用サーバを備え、無線端末装置が無線基地局装置の範囲内にあるときには、専用サーバへのアクセス制御を行うことができ、様々なサービスを提供できるようにした無線通信システムが開示されている。
【先行技術文献】
【特許文献】
【０００３】
【特許文献１】特開２００８−２８３６４８号公報
【特許文献２】特開２００５−１０７８９７号公報
【特許文献３】特開２００５−２２３９１５号公報
【発明の概要】
【発明が解決しようとする課題】
【０００４】
上述の従来の無線システムでは、無線端末装置が無線基地局装置のサービスエリア内に入った場合に、専用コンテンツサーバへのアクセスを許可して、各種のサービスを提供している。しかしながら、上述の従来の無線システムでは、無線基地局装置は、ユーザは同一場所を訪れた回数に関係なく、毎回同じ特典でサービスを提供しており、訪れた回数に応じた特典を与えることができない。例えば、店舗で情報を提供する場合には、顧客を囲い込むため、店舗に訪れた回数が多ければ、それに応じた特典を与えることが考えられる。
【０００５】
上述の課題を鑑み、本発明は、無線端末装置が無線基地局装置のサービスエリアに入った場合に各種のサービスを提供するシステムにおいて、訪れた回数によって、その回数に応じた特典を得ることが可能となるようにした無線通信システム及びサーバアクセス方法、並びに、無線基地局装置及び無線端末装置を提供することを目的とする。
【課題を解決するための手段】
【０００６】
上述の課題を解決するために、本発明は、無線端末装置と、無線端末装置からの電波を送受信する無線基地局装置と、無線基地局装置を介して無線端末装置に情報を提供する専用コンテンツサーバとからなり、無線基地局装置は、無線端末装置毎の位置登録回数を保持する手段と、無線端末装置の位置登録があると、位置登録回数を更新する手段と、保持している無線基地局装置の位置登録回数と、所定の位置登録回数の閾値を比較する手段と、位置登録回数が閾値以上になると、無線端末装置の専用コンテンツサーバへのアクセスを可能とする手段とを備えるようにしたことを特徴とする無線通信システムである。
【０００７】
本発明は、無線端末装置と、無線端末装置からの電波を送受信する無線基地局装置と、無線基地局装置を介して無線端末装置に情報を提供する専用コンテンツサーバとからなる無線システムのサーバアクセス方法において、無線基地局装置が、無線端末装置毎の位置登録回数を保持する工程と、無線端末装置の位置登録があると、位置登録回数を更新する工程と、保持している無線基地局装置の位置登録回数と、位置登録回数の閾値を比較する工程と、位置登録回数が閾値以上になると、無線端末装置の専用コンテンツサーバへのアクセスを可能とするように制御する工程とを含むようにしたことを特徴とするサーバアクセス方法である。
【０００８】
本発明は、無線端末装置に電波を送信する送信手段及び無線端末装置からの電波を受信する受信手段と、各無線端末装置の位置登録回数を保持する記憶手段と、無線端末装置の位置登録があると、記憶手段に保持している各無線端末装置からの位置登録回数を更新する位置登録回数更新手段と、保持している無線基地局装置からの位置登録回数と、位置登録回数の閾値を比較する位置登録回数判定手段と、位置登録回数が閾値以上になると、無線端末装置の専用コンテンツサーバへのアクセスが可能とするように制御する手段とを備えたことを特徴とする無線基地局装置である。
【０００９】
本発明は、無線基地局装置に電波を送信する送信手段及び無線基地局装置からの電波を受信する受信手段と、無線基地局装置からの固有の認証ＩＤを受信して保持する記憶手段と、保持している認証ＩＤを設定して無線基地局装置に通知する認証ＩＤ設定手段とを備えることを特徴とする無線端末装置である。
【００１０】
本発明は、無線端末装置の位置登録回数を保持するステップと、無線端末装置の位置登録があると、記憶手段に保持している各無線端末装置からの位置登録回数を更新するステップと、保持している位置登録回数と、位置登録回数の閾値を比較するステップと、位置登録回数が閾値以上になると、無線端末装置の専用コンテンツサーバへのアクセスを可能とするステップとを含むことを特徴とする無線基地局装置のコンピュータ処理で実現可能なプログラムである。
【００１１】
本発明は、無線基地局装置からの固有の認証ＩＤを受信して保持するステップと、保持している認証ＩＤを無線基地局装置に通知するステップとを含むことを特徴とする無線端末装置のコンピュータ処理で実現可能なプログラムである。
【発明の効果】
【００１２】
本発明によれば、無線端末装置が位置登録を行う際に、無線基地局装置に認証ＩＤを通知し、無線基地局装置は通知された認証ＩＤが無線基地局装置固有の認証ＩＤかをチェックし、通知された認証ＩＤの正当性が認められた場合に、無線端末装置の位置登録回数を更新し、その位置登録回数に応じて、専用コンテンツサーバへのアクセスを制御する。これにより、ユーザは同一場所を訪れた回数によって、その回数に応じた特典を得ることが可能となる。
【図面の簡単な説明】
【００１３】
【図１】本発明の第１の実施形態の無線通信システムの構成を示すブロック図である。
【図２】本発明の第１の実施形態の無線通信システムの説明図である。
【図３】本発明の第１の実施形態の無線通信システムにおける無線基地局装置の構成を示すブロック図である。
【図４】本発明の第１の実施形態の無線通信システムにおける無線端末局の構成を示すブロック図である。
【図５】本発明の第１の実施形態の無線通信システムにおける無線基地局装置の動作説明に用いるフローチャートである。
【図６】本発明の第１の実施形態の無線基地通信システムにおける無線端末局の動作説明に用いるフローチャートである。
【図７】本発明の第１の実施形態の無線基地通信システムにおける無線端末局の動作説明に用いるフローチャートである。
【発明を実施するための形態】
【００１４】
以下、本発明の実施の形態について図面を参照しながら説明する。図１は、本発明の第１の実施形態の無線通信システムを示すものである。図１において、無線端末装置１０は無線通信を行うことができる機能を備えており、無線基地局装置１１と無線通信を行い、ＩＳＰ（Internet Service Provider）１２を介してインターネット１３に接続する。無線基地局装置１１としては、フェムトセル基地局を用いることができる。専用コンテンツサーバ１４は、特定の無線基地局装置１１からのみアクセスが可能なサーバで、無線基地局装置１１の設置場所でのみ閲覧可能な限定コンテンツを提供する。
【００１５】
無線端末装置１０は、位置登録時に無線基地局装置１１に無線基地局装置固有の認証ＩＤを通知し、無線基地局装置１１は、通知された認証ＩＤの正当性チェックする。通知された認証ＩＤの正当性が認められた場合、無線端末装置１０の位置登録回数をカウントし、その位置登録回数に応じて、無線端末装置１０の専用コンテンツサーバ１４へのアクセス可否を決定する。
【００１６】
図２に示すように、無線基地局装置１１は、所定のサービスエリア１６を有している。ユーザが無線端末装置１０を持って移動している場合、その無線端末装置１０が無線基地局装置１１のサービスエリア１６に入る毎に、無線端末装置１０で位置登録回数がカウントされる。そして、ユーザが無線端末装置１０を持って無線基地局装置１１のサービスエリア１６に入った回数が所定値以上になると、ユーザの無線端末装置１０で、専用コンテンツサーバ１４へのアクセスが可能となる。これにより、ユーザは同一場所を訪れた回数によって、その回数に応じた特典を得ることが可能となる。
【００１７】
図３は、本発明の実施形態を示す無線基地局装置１１の概略ブロック図である。図３において、受信部２２はアンテナ２１を介して無線端末装置１０からの位置登録信号を受信する。認証ＩＤ判定部２３は受信部２２で受信した信号に認証ＩＤが付加されているか、付加された認証ＩＤが無線基地局装置１１自身の固有の認証ＩＤかを判定する。認証ＩＤ判定部２３で、付加された認証ＩＤが無線基地局装置１１の固有の認証ＩＤと認められた場合には、位置登録回数更新部２４で、記憶部２７に保持している無線端末装置１０の位置登録回数をインクリメントする。位置登録回数判定部２５では、インクリメントされた当該無線端末装置の位置登録回数と、あらかじめ無線基地局装置１１で保持している位置登録回数の閾値を比較する。信号処理部２６では受信信号を処理し、位置登録回数判定部２５で位置登録回数が閾値以上と判定された場合には、当該無線端末装置１０の専用コンテンツサーバ１４へのアクセス制限を解除する。
【００１８】
一方、認証ＩＤ判定部２３で、受信信号に認証ＩＤが付加されていなかった場合、又は、付加された認証ＩＤが無線基地局装置１１の固有の認証ＩＤと一致しなかった場合には、認証ＩＤ判定部２３は認証ＩＤ設定部３２に、当該無線基地局装置１１の固有の認証ＩＤの設定を指示し、認証ＩＤ設定部３２は信号処理部２６で作成した位置登録応答信号に、当該無線基地局装置１１の固有の認証ＩＤを設定し、送信部３１はアンテナ２１を介して位置登録応答信号を無線端末装置１０に送信する。
【００１９】
図４は、本発明の実施形態を示す無線端末装置１０の概略ブロック図である。図４において、受信部４２はアンテナ４１を介して無線基地局装置１１からの位置登録応答信号を受信し、認証ＩＤ通知判定部４３は受信部４２で受信した信号にて無線基地局装置１１の固有の認証ＩＤが通知されているかを判定する。認証ＩＤ通知判定部４３で、受信信号にて認証ＩＤが通知されていた場合は、通知された認証ＩＤを記憶部４５に保存し、信号処理部４４で受信信号を処理する。
【００２０】
また、位置登録信号送信時、認証ＩＤ保持判定部５３は記憶部４５で無線基地局装置１１の固有の認証ＩＤを保持しているかを判定し、認証ＩＤを保持している場合に、認証ＩＤ設定部５２に信号処理部４４で作成された送信する位置登録信号への認証ＩＤの設定を指示し、認証ＩＤ設定部５２で、送信する位置登録信号に認証ＩＤを設定し、送信部５１はアンテナ４１を介して位置登録信号を無線基地局装置１１に送信する。
【００２１】
以上詳細に実施形態の構成を述べたが、図３の信号処理部２６と図４の信号処理部４４は、当業者にとってよく知られており、また本発明とは直接関係しないので、その詳細な構成は省略する。  
【００２２】
図５は、無線端末認証における無線基地局装置１１側の処理を示すフローチャートである。図５において、無線基地局装置１１は無線端末装置１０からの位置登録時、認証ＩＤが無線端末装置１０から通知されたかをチェックする（ステップＳ１１）。認証ＩＤが通知された場合には（ステップＳ１１：認証ＩＤ通知あり）、無線基地局装置１１は、通知された認証ＩＤがその無線基地局装置１１自身の固有の認証ＩＤかを判定する（ステップＳ１２）。通知された認証ＩＤがその無線基地局装置１１自身の固有の認証ＩＤと一致した場合（ステップＳ１２：自認証ＩＤ）、無線基地局装置１１は、その無線端末装置１０の位置登録回数が内部の記憶部２７に保持されているかを判定する（ステップＳ１３）。保持されている場合には（ステップＳ１３：保持あり）、無線基地局装置１１は、その無線端末装置１０の位置登録回数をインクリメントする（ステップＳ１４）。保持されていない場合には（ステップＳ１３：保持なし）、無線基地局装置１１は、その無線端末装置１０の位置登録回数に「２」を設定して、内部の記憶部２７に保存する（ステップＳ１５）。
【００２３】
なお、ここで、ステップＳ１５で、位置登録回数を「２」に設定するのは、初回位置登録の無線端末装置１０は、無線基地局装置１１の正しい認証ＩＤを送信していないため（ステップＳ２２参照）、ステップＳ１１で認証ＩＤ通知なし又はステップＳ１２で自認証ＩＤ以外と判定され、位置登録回数が内部の記憶部２７に保存されないからである。よって、位置登録回数が保存されるのは、２回目以降となる。
【００２４】
その後、当該無線端末装置１０の位置登録回数と、あらかじめ設定された位置登録回数の閾値とを比較し（ステップＳ１６）、位置登録回数が閾値以上の場合（ステップＳ１６：閾値以上）、当該無線端末装置１０の専用コンテンツサーバへのアクセス制限を解除し、専用コンテンツの閲覧を可能にする（ステップＳ１７）。
【００２５】
一方、無線端末装置１０から認証ＩＤが通知されなかった場合（ステップＳ１１：認証ＩＤ通知なし）と、通知された認証ＩＤが無線基地局装置１１の固有の認証ＩＤと一致しなかった場合（ステップＳ１２：自認証ＩＤ以外）は、無線基地局装置１１は、その無線基地局装置１１自身の固有の認証ＩＤを無線端末装置１０に通知する（ステップＳ１８）。
【００２６】
図６は、無線端末認証における無線端末側の認証ＩＤ通知処理を示すフローチャートである。図６において、無線端末装置１０は位置登録時、内部に保持している無線基地局装置１１の認証ＩＤの有無をチェックし（ステップＳ２１）、無線基地局装置１１の認証ＩＤを内部に保持している場合（ステップＳ２１：内部保持認証ＩＤあり）には、その認証ＩＤを無線基地局装置１１へ通知する（ステップＳ２２）。
【００２７】
図７は、特定無線端末認証における無線端末装置１０側の認証ＩＤ受信処理の処理を示すフローチャートである。無線端末装置１０は、無線基地局装置１１からの認証ＩＤの通知有無をチェックし（ステップＳ３１）、無線基地局装置１１の固有の認証ＩＤが通知された場合（ステップＳ３１：通知あり）には、無線基地局装置１１の固有の認証ＩＤを取得し、内部に保存する（ステップＳ３２）。
【００２８】
以上説明したように、本発明の実施形態では、無線基地局装置１１が無線端末装置１０からの認証ＩＤの通知有無と一致性をチェックすることで、無線端末装置１０からの初回の位置登録なのかどうかを判断することができることである。そして、無線基地局装置１１が無線端末装置１０の位置登録回数をカウントすることで、無線端末装置１０の位置登録回数に応じて、専用コンテンツサーバへのアクセスを制御することができることである。
【００２９】
また、本発明の実施形態では、初回位置登録の無線端末装置１０の位置登録回数は記憶部２７に保存せず、位置登録が２回目以降の無線端末装置１０の場合のみ、その位置登録回数を記憶部２７に保存することで、記憶部２７の使用量を低減することができる。
【００３０】
本発明は、上述した実施形態に限定されるものではなく、この発明の要旨を逸脱しない範囲内で様々な変形や応用が可能である。
【符号の説明】
【００３１】
１０  無線端末装置
１１  無線基地局装置
１３  インターネット
１４  専用コンテンツサーバ
１６  サービスエリア
２１  アンテナ
２２  受信部
２３  認証ＩＤ判定部
２４  位置登録回数更新部
２５  位置登録回数判定部
２６  信号処理部
２７  記憶部
３１  送信部
３２  設定部
４１  アンテナ
４２  受信部
４３  通知判定部
４４  信号処理部
４５  記憶部
５１  送信部
５２  認証ＩＤ設定部
５３  認証ＩＤ保持判定部
【図１】
2010218027.tif 000003
【図２】
2010218027.tif 000004
【図３】
2010218027.tif 000005
【図４】
2010218027.tif 000006
【図５】
2010218027.tif 000007
【図６】
2010218027.tif 000008
【図７】
2010218027.tif 000009